(57)【要約】【課題】マスクを用いて有機層上の電極を形成する場合、この電極の位置を高い精度で調節可能にする。【解決手段】導電部１５２の厚さＴは、第１電極１１０の基板１００と反対の面（すなわち、第１電極１１０の上面）から第２電極１３０の上端までの高さＨ１より厚くなっている（Ｔ≧Ｈ１）。第２電極１３０は、マスクを用いて蒸着によって形成される。導電部１５２の厚さＴが第１電極１１０の上面から第２電極１３０の上端までの高さＨ１より厚い場合、このようなマスクを導電部１５２の上面に接触させることができる。このため、第２電極１３０の位置を高い精度で調節することができる。【選択図】図２
2018073526.tif 000002
【特許請求の範囲】
【請求項１】
基板の第１面側に位置し、透光性の第１電極、発光層を含む有機層及び遮光性の第２電極の積層構造を含む発光部と、
前記第１電極の前記基板と反対の面上に位置し、前記第１電極の前記基板と反対の面から前記第２電極の上端までの高さより厚い厚さを有する導電部と、
を備える発光装置。
【請求項２】
請求項１に記載の発光装置において、
前記導電部は、前記第１電極に含まれる材料の導電率より高い導電率を有する材料を含む発光装置。
【請求項３】
請求項１又は２に記載の発光装置において、
前記第２電極の幅は、前記発光部の幅と等しい発光装置。
【請求項４】
請求項３に記載の発光装置において、
前記第２電極の幅は、前記有機層の幅より狭い発光装置。
【請求項５】
請求項４に記載の発光装置において、
前記有機層の幅は、前記第１電極の幅より狭い発光装置。
【請求項６】
請求項１〜５のいずれか一項に記載の発光装置において、
前記有機層の端部は、前記導電部に接している発光装置。
【請求項７】
請求項１〜６のいずれか一項に記載の発光装置において、
複数の前記発光部と、
互いに隣接する発光部の間にそれぞれ位置する複数の透光部と、
複数の前記第１電極と、
複数の前記導電部と、
を備え、
前記複数の発光部のそれぞれは、前記複数の第１電極のそれぞれと重なっており、
前記複数の導電部のそれぞれは、前記複数の第１電極のそれぞれと重なっている発光装置。
【請求項８】
請求項１〜７のいずれか一項に記載の発光装置において、
前記導電部は、アルミニウムを含む発光装置。
【請求項９】
請求項８に記載の発光装置において、
前記導電部は、
前記第１電極の前記基板と反対の面上に位置し、モリブデンを含む第１層と、
前記第１層上に位置し、アルミニウムを含む第２層と、
を有し、
前記第２層の上面は、前記導電部の外部に露出している発光装置。
【発明の詳細な説明】
【技術分野】
【０００１】
本発明は、発光装置に関する。
【背景技術】
【０００２】
近年、発光装置として、有機発光ダイオード（ＯＬＥＤ）が開発されている。ＯＬＥＤは、有機層を有しており、この有機層は、有機エレクトロルミネッセンスにより光を発する発光層を含んでいる。ＯＬＥＤは、第１電極（例えば、アノード電極）及び第２電極（例えば、カソード電極）をさらに有しており、第１電極及び第２電極は、有機層を挟んで互いに対向している。ＯＬＥＤでは、第１電極及び第２電極を用いて有機層に電圧を印加することにより光が発せられる。
【０００３】
特許文献１には、ＯＬＥＤの一例について記載されている。このＯＬＥＤは、隔壁を有しており、この隔壁は、互いに隣接する第２電極（カソード電極）の間に位置している。第２電極は、メタルマスクを用いて蒸着によって形成される。隔壁は、有機層がメタルマスクによって傷つくことを防止するために設けられている。特許文献１には、隔壁は、絶縁性及び透光性を有することが記載されている。
【０００４】
特許文献２には、ＯＬＥＤの一例について記載されている。このＯＬＥＤは、導電部を有しており、この導電部は、第１電極（アノード電極）に接続している。導電部の導電率は、第１電極の導電率より高い。これにより、導電部は、第１電極の補助電極として機能している。特許文献２では、この導電部は、絶縁層によって覆われている。
【０００５】
特許文献３には、液晶ディスプレイに用いられる配線の一例について記載されている。この配線は、Ａｌを含む第１層及びＭｏを含む第２層を有している。特許文献３には、Ａｌの電気抵抗率が低くてもＭｏの電気抵抗率が高いために、配線の抵抗値が高くなることが記載されている。
【先行技術文献】
【特許文献】
【０００６】
【特許文献１】特開２０１１−２３３３６号公報
【特許文献２】特開２０１４−１５４４０４号公報
【特許文献３】国際公開第２００８／０４７６６７号
【発明の概要】
【発明が解決しようとする課題】
【０００７】
特許文献１に記載されているように、有機層上の電極（すなわち、第２電極）を蒸着によって形成する場合、マスク（例えば、メタルマスク）が用いられることがある。この場合、電極の位置を高い精度で調節可能にすることが重要となる。
【０００８】
本発明が解決しようとする課題としては、マスクを用いて有機層上の電極を形成する場合、この電極の位置を高い精度で調節可能にすることが一例として挙げられる。
【課題を解決するための手段】
【０００９】
請求項１に記載の発明は、
基板の第１面側に位置し、透光性の第１電極、発光層を含む有機層及び遮光性の第２電極の積層構造を含む発光部と、
前記第１電極の前記基板と反対の面上に位置し、前記第１電極の前記基板と反対の面から前記第２電極の上端までの高さより厚い厚さを有する導電部と、
を備える発光装置である。
【図面の簡単な説明】
【００１０】
【図１】実施形態１に係る発光装置を示す平面図である。
【図２】図１のＡ−Ａ断面図である。
【図３】図２に示した導電部の詳細の一例を説明するための図である。
【図４】実施形態１に係る発光装置の動作の一例を説明するための図である。
【図５】比較例に係る発光装置の動作の一例を説明するための図である。
【図６】図４の変形例を示す図である。
【図７】図１及び図２に示した発光装置を製造する方法の一例を説明するための図である。
【図８】図２の変形例を示す図である。
【図９】実施形態２に係る発光装置を説明するための平面図である。
【図１０】図９のＡ−Ａ断面図である。
【図１１】図９及び図１０に示した発光装置を製造する方法の一例を説明するための図である。
【図１２】図１０の変形例を示す図である。
【図１３】図９の第１の変形例を示す図である。
【図１４】図９の第２の変形例を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（実施形態１）
図１は、実施形態１に係る発光装置１０を示す平面図である。図２は、図１のＡ−Ａ断面図である。
【００１３】
図２を用いて発光装置１０の概要について説明する。発光装置１０は、発光部１４２及び導電部１５２を備えている。発光部１４２は、基板１００の第１面１０２側に位置している。発光部１４２は、第１電極１１０、有機層１２０及び第２電極１３０の積層構造を含んでいる。第１電極１１０は、透光性を有している。有機層１２０は、発光層を含んでいる。第２電極１３０は、遮光性、より具体的には、光反射性を有している。導電部１５２は、第１電極１１０の基板１００と反対の面上に位置しており、言い換えると、第１電極１１０の上面上に位置している。
【００１４】
導電部１５２の厚さＴは、第１電極１１０の基板１００と反対の面（すなわち、第１電極１１０の上面）から第２電極１３０の上端までの高さＨ１より厚くなっている（Ｔ≧Ｈ１）。
【００１５】
本図に示す例においては、第２電極１３０の位置を高い精度で調節することができる。具体的には、本実施形態では、図７を用いて後述するように、マスク（図７に示す例ではマスクＭＫ）を用いて第２電極１３０を蒸着によって形成する。導電部１５２の厚さＴが上記高さＨ１より厚い場合、このようなマスクを導電部１５２の上面に接触させることができる。このため、第２電極１３０の位置を高い精度で調節することができる。
【００１６】
本図に示す例においては、発光装置１０の製造プロセスの工程を少なくすることができる。具体的には、導電部１５２の厚さＴが上記高さＨ１より厚い場合、上記したように、第２電極１３０の形成に用いられるマスクを導電部１５２の上面に接触させることができる。言い換えると、このようなマスクを接触させるための絶縁層（例えば、図５を用いて後述する絶縁層２１０）を設ける必要がない。このため、発光装置１０の製造プロセスの工程を少なくすることができる。
【００１７】
本図に示す例においては、発光装置１０の耐光性を高いものにすることができる。具体的には、導電部１５２の厚さＴが上記高さＨ１より厚い場合、上記したように、第２電極１３０の形成に用いられるマスクを接触させるための絶縁層を設ける必要がない。このような絶縁層が有機材料（例えば、ポリイミド）を含んでいる場合に絶縁層が光（より具体的には紫外線）に照射されると、絶縁層からアウトガスが発生することがある。有機層１２０は、このようなアウトガスによって劣化することがある。これに対して、本図に示す例では、このような絶縁層を設ける必要がない。このため、有機層１２０が上記した絶縁層からのアウトガスによって劣化するおそれがない。このため、発光装置１０の耐光性を高いものにすることができる。
【００１８】
次に、図１を用いて、発光装置１０の平面レイアウトの詳細について説明する。発光装置１０は、基板１００、複数の第１電極１１０、複数の第１接続部１１２、複数の有機層１２０、複数の第２電極１３０、複数の第２接続部１３２、導電層１５０及び導電層１６０を備えている。導電層１５０は、複数の導電部１５２及び配線１５８を有している。導電層１６０は、配線１６８を有している。
【００１９】
基板１００の形状は、第１面１０２に垂直な方向から見た場合、一対の長辺及び一対の短辺を有する矩形である。ただし、基板１００の形状は、本図に示す例に限定されるものではない。基板１００の形状は、第１面１０２に垂直な方向から見た場合、例えば円でもよいし、又は矩形以外の多角形であってもよい。
【００２０】
複数の第１電極１１０は、互いに離間して位置しており、具体的には、基板１００の長辺に沿って一列に並んでいる。複数の第１電極１１０のそれぞれは、基板１００の短辺に沿って延伸している。
【００２１】
複数の第１電極１１０のそれぞれは、複数の第１接続部１１２のそれぞれに接続している。特に本図に示す例においては、第１接続部１１２の幅は、第１電極１１０の幅よりも狭くなっている。ただし、他の例において、第１接続部１１２の幅は、第１電極１１０の幅よりも狭くなくてもよく、例えば第１電極１１０の幅と等しくてもよい。なお、第１電極１１０及び第１接続部１１２は、互いに一体となっている。言い換えると、発光装置１０は、第１電極１１０として機能する領域及び第１接続部１１２として機能する領域を有する導電層を備えている。
【００２２】
複数の有機層１２０のそれぞれは、複数の第１電極１１０のそれぞれに重なっている。複数の有機層１２０は、互いに離間しており、具体的には、基板１００の長辺に沿って一列に並んでいる。複数の有機層１２０のそれぞれは、基板１００の短辺に沿って延伸している。
【００２３】
複数の第２電極１３０のそれぞれは、複数の第１電極１１０のそれぞれに重なっている。複数の第２電極１３０は、互いに離間して位置しており、具体的には、基板１００の長辺に沿って一列に並んでいる。複数の第２電極１３０のそれぞれは、基板１００の短辺に沿って延伸しており、具体的には、基板１００の短辺に沿って延伸する一対の長辺及び基板１００の長辺に沿って延伸する一対の短辺を有している。
【００２４】
複数の第２電極１３０のそれぞれは、複数の第２接続部１３２のそれぞれに接続している。
【００２５】
第１電極１１０、有機層１２０及び第２電極１３０は、発光部１４２として機能する領域を有している。具体的には、発光部１４２は、第１電極１１０、有機層１２０及び第２電極１３０の積層構造を含んでいる。これにより、複数の発光部１４２のそれぞれは、複数の第１電極１１０のそれぞれ、複数の有機層１２０のそれぞれ及び複数の第２電極１３０のそれぞれと重なっている。発光部１４２は、基板１００の短辺に沿って延伸しており、具体的には、基板１００の短辺に沿って延伸する一対の長辺及び基板１００の長辺に沿って延伸する一対の短辺を有している。
【００２６】
複数の導電部１５２のそれぞれは、複数の第１電極１１０のそれぞれに重なっており、複数の第１電極１１０のそれぞれに接続している。導電部１５２は、第１電極１１０から第１接続部１１２にかけて延伸している。
【００２７】
配線１５８は、複数の第１接続部１１２及び複数の導電部１５２に接続している。配線１５８は、基板１００の一対の長辺の一方に沿って延伸している。外部からの電圧は、配線１５８、第１接続部１１２及び導電部１５２を介して第１電極１１０に供給される。なお、複数の導電部１５２及び配線１５８は、互いに一体となっている。言い換えると、発光装置１０は、導電部１５２として機能する領域及び配線１５８として機能する領域を有する導電層（すなわち、導電層１５０）を含んでいる。
【００２８】
配線１６８は、複数の第２接続部１３２に接続している。配線１６８は、基板１００の一対の長辺の他方に沿って延伸している。外部からの電圧は、配線１６８を介して第２電極１３０に供給される。
【００２９】
次に、図２を用いて、発光装置１０の断面の詳細について説明する。発光装置１０は、基板１００、第１電極１１０、有機層１２０、第２電極１３０及び導電部１５２を備えている。基板１００は、第１面１０２及び第２面１０４を有している。第２面１０４は、第１面１０２の反対側にある。第１電極１１０、有機層１２０、第２電極１３０及び導電部１５２は、いずれも、基板１００の第１面１０２上にある。
【００３０】
基板１００は、透光性を有している。一例において、基板１００は、ガラスを含んでいる。他の例において、基板１００は、樹脂を含んでいてもよい。
【００３１】
第１電極１１０は、透光性及び導電性を有している。具体的には、第１電極１１０は、透光性及び導電性を有する材料を含んでおり、例えば金属酸化物、具体的には例えば、ＩＴＯ（Ｉｎｄｉｕｍ  Ｔｉｎ  Ｏｘｉｄｅ）及びＩＺＯ（Ｉｎｄｉｕｍ  Ｚｉｎｃ  Ｏｘｉｄｅ）の少なくとも１つを含んでいる。これにより、有機層１２０からの光は、第１電極１１０を透過することができる。
【００３２】
有機層１２０は、例えば、正孔注入層（ＨＩＬ）、正孔輸送層（ＨＴＬ）、発光層（ＥＭＬ）、電子輸送層（ＥＴＬ）及び電子注入層（ＥＩＬ）を含んでいる。ＨＩＬ及びＨＴＬは、第１電極１１０に接続している。ＥＴＬ及びＥＩＬは、第２電極１３０に接続している。ＥＭＬは、第１電極１１０と第２電極１３０の間の電圧によって光を発する。
【００３３】
本図に示す例において、有機層１２０の幅は、第１電極１１０の幅よりも狭くなっている。具体的には、第１電極１１０の幅方向において、有機層１２０は、第１電極１１０の両端よりも内側に位置している。この場合、基板１００の厚さ方向において有機層１２０と重なる領域の面積を小さくすることができる。このため、発光装置１０の光線透過率を高くすることができる。
【００３４】
第２電極１３０は、光反射性及び導電性を有している。具体的には、第２電極１３０は、光反射性を有する材料を含んでおり、例えば金属、具体的には例えば、Ａｌ、Ａｇ及びＭｇＡｇの少なくとも１つを含んでいる。これにより、有機層１２０からの光は、第２電極１３０をほとんど透過することなく、第２電極１３０で反射される。
【００３５】
なお、第２電極１３０の光反射性に起因して、第２電極１３０は、遮光性を有している。このため、本図に示す例では、有機層１２０からの光が第２電極１３０から漏れることが抑制されている。
【００３６】
本図に示す例において、第２電極１３０の幅は、有機層１２０の幅よりも狭くなっている。具体的には、有機層１２０の幅方向において、第２電極１３０は、有機層１２０の両端よりも内側に位置している。この場合、第２電極１３０が第１電極１１０に接触することが防止される。このため、第１電極１１０と第２電極１３０の間の短絡が防止される。
【００３７】
本図に示す例では、第１電極１１０と第２電極１３０の間の短絡を防止すること及び発光装置１０の光線透過率を高くすることの双方が実現されている。具体的には、上記したように、第２電極１３０の幅は、有機層１２０の幅よりも狭くなっている。この場合、第２電極１３０が第１電極１１０に接触することが防止される。このため、第１電極１１０と第２電極１３０の間の短絡が防止される。さらに、上記したように、有機層１２０の幅は、第１電極１１０の幅よりも狭くなっている。この場合、基板１００の厚さ方向において有機層１２０と重なる領域の面積を小さくすることができる。このため、発光装置１０の光線透過率を高くすることができる。このようにして、第１電極１１０と第２電極１３０の間の短絡を防止すること及び発光装置１０の光線透過率を高くすることの双方が実現されている。
【００３８】
導電部１５２は、導電性を有している。具体的には、導電部１５２は、第１電極１１０に含まれる材料の導電率よりも高い導電率を有する材料（例えば、アルミニウム（Ａｌ））を含んでいる。導電部１５２は、第１電極１１０に電気的に接続しており、第１電極１１０の補助電極として機能している。具体的には、導電部１５２は、第１電極１１０の電圧降下を小さいものにしている。
【００３９】
複数の第１電極１１０のそれぞれ上において、有機層１２０は、導電部１５２から離間している。このようにして、基板１００の厚さ方向において有機層１２０と重なる領域の面積が小さくなっている。これにより、発光装置１０の光線透過率を高いものにすることができる。
【００４０】
複数の第１電極１１０のそれぞれの上おいて、第２電極１３０は、導電部１５２から離間している。このため、第２電極１３０が導電部１５２を介して第１電極１１０に短絡することが防止されている。
【００４１】
導電部１５２は、透光性を有している必要はなく、言い換えると、遮光性を有していてもよい。本図に示す例では、導電部１５２は、遮光性を有している。このため、外部からの光は、導電部１５２によって遮られる。
【００４２】
導電部１５２の厚さＴは、第１電極１１０の上面から第２電極１３０の上端までの高さＨ１よりも厚くなっている。一例において、第１電極１１０の厚さは、おおよそ１００ｎｍであり、有機層１２０の全体の厚さ（有機層１２０がＨＩＬ、ＨＴＬ、ＥＭＬ、ＥＴＬ及びＥＭＬを含む場合は、ＨＩＬ、ＨＴＬ、ＥＭＬ、ＥＴＬ及びＥＭＬの全体の厚さ）はおおよそ１００ｎｍであり、第２電極１３０の厚さは、おおよそ１００ｎｍであり、導電部１５２の厚さＴは、おおよそ５００ｎｍである。この例において、導電部１５２の厚さＴ（おおよそ５００ｎｍ）は、第１電極１１０の上面から第２電極１３０の上端までの高さ（おおよそ２００ｎｍ）よりも厚くなっている。厚さＴが高さＨ１よりも厚い場合、上記したように、第２電極１３０の形成に用いられるマスクを導電部１５２の上面に接触させることができる。
【００４３】
発光装置１０は、複数の発光部１４２、複数の透光部１４４ａ及び複数の透光部１４４ｂを備えている。互いに隣接する発光部１４２の間には、透光部１４４ａ及び透光部１４４ｂが位置している。
【００４４】
発光部１４２は、第１電極１１０、有機層１２０及び第２電極１３０の積層構造を含んでいる。具体的には、有機層１２０は、第１電極１１０上に位置し、第２電極１３０は、有機層１２０上に位置している。特に本図に示す例では、発光部１４２の幅は、第２電極１３０の幅と等しくなっている。具体的には、有機層１２０の幅は、第１電極１１０の幅よりも狭くなっており、第２電極１３０の幅は、有機層１２０の幅より狭くなっている。このため、第１電極１１０の幅方向において、発光部１４２の両端は、第２電極１３０の両端によって画定されることになる。言い換えると、第２電極１３０は、発光部１４２を画定するための絶縁層（例えば、図５を用いて後述する絶縁層２１０）と重なっていない。このようにして、発光部１４２の幅は、第２電極１３０の幅と等しくなっている。
【００４５】
透光部１４４ａは、第１電極１１０の幅方向において、一の第１電極１１０上の導電部１５２の端部から一の第１電極１１０上の第２電極１３０の端部にかけて広がっている。透光部１４４ａは、遮光層、具体的には、第２電極１３０及び導電部１５２と重なっていない。このため、外部からの光は、透光部１４４ａを透過することができる。
【００４６】
透光部１４４ｂは、第１電極１１０の幅方向において、一の第１電極１１０上の第２電極１３０の端部から他の第１電極１１０上の導電部１５２の端部にかけて広がっている。透光部１４４ｂは、遮光層、具体的には、第２電極１３０及び導電部１５２と重なっていない。このため、外部からの光は、透光部１４４ｂを透過することができる。
【００４７】
発光装置１０は、半透過ＯＬＥＤとして機能している。具体的には、複数の発光部１４２から光が発せられていない場合、人間の視覚では、第１面１０２側の物体が第２面１０４側から透けて見え、第２面１０４側の物体が第１面１０２側から透けて見える。さらに、複数の発光部１４２からの光は、第２面１０４側から主に出力され、第１面１０２側からはほとんど出力されない。複数の発光部１４２から光が発せられている場合、人間の視覚では、第２面１０４側の物体が第１面１０２側から透けて見える。
【００４８】
一例において、発光装置１０は、自動車のハイマウントストップランプとして用いることができる。この場合、発光装置１０は、自動車のリアウインドウに貼り付けることができる。さらに、この場合、発光装置１０は、例えば、赤色の光を発する。
【００４９】
図３は、図２に示した導電部１５２の詳細の一例を説明するための図である。導電部１５２は、第１電極１１０の基板１００と反対の面（すなわち、第１電極１１０の上面）上に位置している。導電部１５２は、第１層１５２ａ及び第２層１５２ｂを有している。第１層１５２ａは、第１電極１１０の上面上に位置している。第２層１５２ｂは、第１層１５２ａ上に位置している。
【００５０】
第１層１５２ａは、モリブデン（Ｍｏ）を含んでいる。第１層１５２ａは、第２層１５２ｂを第１電極１１０に強固に固定するために設けられている。
【００５１】
第２層１５２ｂは、アルミニウム（Ａｌ）を含んでいる。このため、導電部１５２は、高い導電率を有しており、第１電極１１０の補助電極として機能することができる。
【００５２】
第２層１５２ｂの上面は、導電層１５０の他の層、具体的には、アルミニウム（Ａｌ）よりも低い導電率を有する材料を含む層、より具体的にはモリブデン層によって覆われていない。このため、導電層１５０の導電率を高いものにすることができる。
【００５３】
本図に示す例では、第２層１５２ｂの上面をモリブデン層によって覆う必要がなく、このため、第２層１５２ｂの上面は導電層１５０の外部に露出していてもよい。具体的には、仮に、発光部１４２を画定するための絶縁層（例えば、図５を用いて後述する絶縁層２１０）によって第２層１５２ｂの上面が覆われている場合、第２層１５２ｂに含まれるアルミニウムがマイグレーションによってこの絶縁層内を移動することがある。このため、このような絶縁層を設ける場合、第２層１５２ｂの上面をバリアメタル（例えば、モリブデン）によって覆う必要がある。これに対して、本図に示す例では、上記した絶縁層を設ける必要がない。このため、第２層１５２ｂの上面は導電層１５０の外部に露出していてもよい。
【００５４】
図４は、本実施形態に係る発光装置１０の動作の一例を説明するための図である。本図に示す例において、発光装置１０は、封止基板３１０を備えている。封止基板３１０は、第１面３１２及び第２面３１４を有している。封止基板３１０の第１面３１２は、基板１００の第１面１０２に対向している。第２面３１４は、第１面３１２の反対側にある。
【００５５】
基板１００の第１面１０２と封止基板３１０の第１面３１２の間の領域は、固相、気相及び液相のいずれであってもよい。基板１００の第１面１０２と封止基板３１０の第１面３１２の間の領域が固相である場合、例えば樹脂層がこの固相として機能する。基板１００の第１面１０２と封止基板３１０の第１面３１２の間の領域が気相である場合、例えば空気がこの気相として機能する。
【００５６】
本図に示すように、発光部１４２から発せられた光は、基板１００の第２面１０４と封止基板３１０の第１面３１２で反射し、発光装置１０の内部を伝搬することがある。さらに、この光は、第２電極１３０の上面で反射することがある。
【００５７】
第２電極１３０の上面は、実質的に平坦になっており、より具体的には、基板１００の第１面１０２と実質的に平行になっている。言い換えると、第１電極１１０の幅方向において、発光部１４２の両端は、第２電極１３０の両端によって画定されている。これにより、発光部１４２の幅は、第２電極１３０の幅と等しくなっている。
【００５８】
第２電極１３０の上面が基板１００の第１面１０２と実質的に平行である場合、光が第２電極１３０の上面で反射しても、光が封止基板３１０の外側に漏れることを防止することができる。具体的には、第２電極１３０の上面が基板１００の第１面１０２と実質的に平行である場合、第２電極１３０の上面で光が反射しても、この光は、発光装置１０の内部を伝搬する光が封止基板３１０の第１面３１２に入射する際の入射角とほぼ等しい入射角で封止基板３１０の第１面３１２に入射する。この場合、この光は、封止基板３１０をほとんど透過することなく、封止基板３１０の第１面３１２で反射する。このようにして、光が封止基板３１０の外側に漏れることを防止することができる。
【００５９】
図５は、比較例に係る発光装置１０の動作の一例を説明するための図である。本比較例に係る発光装置１０は、絶縁層２１０が設けられている点を除いて、本実施形態に係る発光装置１０と同様である。
【００６０】
絶縁層２１０は、第１電極１１０の端部及び導電部１５２を覆っている。絶縁層２１０は、開口２１２を有している。第１電極１１０、有機層１２０及び第２電極１３０は、開口２１２内で互いに重なっており、発光部１４２として機能している。言い換えると、絶縁層２１０は、発光部１４２を画定している。
【００６１】
絶縁層２１０の開口２１２の周辺の領域αにおいて、第２電極１３０の上面は、平坦になっておらず、開口２１２の外側に向かうにつれて上方に向けて傾いている。具体的には、第２電極１３０は、絶縁層２１０の開口２１２の外側に広がっている。絶縁層２１０の上端は、絶縁層２１０の開口２１２の底部よりも高い位置にあり、このため、絶縁層２１０の開口２１２の周辺の領域αでは、絶縁層２１０によって凹凸が形成されている。第２電極１３０の上面は、当該凹凸の存在により平坦になっていない。
【００６２】
なお、第２電極１３０を蒸着によって形成する場合、第２電極１３０の形成に用いられるマスクは、絶縁層２１０の上面に接触させることができる。
【００６３】
図５に示す例でも、図４に示した例と同様にして、発光部１４２から発せられた光は、基板１００の第２面１０４と封止基板３１０の第１面３１２で反射し、発光装置１０の内部を伝搬することがある。さらに、この光は、第２電極１３０の上面で反射することがある。
【００６４】
光が領域αで第２電極１３０の上面で反射した場合、光が封止基板３１０の外側に漏れることがある。具体的には、光が領域αで第２電極１３０の上面で反射した場合、この光は、発光装置１０の内部を伝搬する光が封止基板３１０の第１面３１２に入射する際の入射角よりも浅い入射角で封止基板３１０の第１面３１２に入射することがある。この場合、この光は、封止基板３１０の第１面３１２でほとんど反射することなく、封止基板３１０を透過する。このようにして、光が封止基板３１０の外側に漏れることがある。
【００６５】
図６は、図４の変形例を示す図である。本図に示す例において、発光装置１０は、樹脂層３２０を備えており、封止基板３１０（図４）を備えていない。樹脂層３２０は、基板１００の第１面１０２、第１電極１１０、有機層１２０、第２電極１３０及び導電部１５２を覆っている。樹脂層３２０は、面３２２を有している。面３２２は、基板１００の第２面１０４の反対側にあり、発光装置１０の外部の領域（例えば、空気）に接している。
【００６６】
図６に示す例でも、図４に示した例と同様にして、発光部１４２から発せられた光は、基板１００の第２面１０４と樹脂層３２０の面３２２で反射し、発光装置１０の内部を伝搬することがある。さらに、この光は、第２電極１３０の上面で反射することがある。光が第２電極１３０の上面で反射しても、図６に示す例では、図４に示した例と同様にして、光が封止基板３１０の外側に漏れることを防止することができる。
【００６７】
図７は、図１及び図２に示した発光装置１０を製造する方法の一例を説明するための図である。この例では、以下のようにして、発光装置１０が製造される。
【００６８】
まず、基板１００の第１面１０２上に第１電極１１０、第１接続部１１２及び第２接続部１３２を形成する。一例において、第１電極１１０、第１接続部１１２及び第２接続部１３２は、スパッタリングにより形成された導電層をパターニングすることにより形成される。次いで、導電層１５０（導電部１５２及び配線１５８）及び導電層１６０（配線１６８）を形成する。一例において、導電層１５０及び導電層１６０は、スパッタリングによって形成される。
【００６９】
次いで、有機層１２０を形成する。一例において、有機層１２０は、蒸着によって形成される。
【００７０】
次いで、図７に示すように、導電部１５２の上面にマスクＭＫを接触させる。一例において、マスクＭＫはメタルマスクである。次いで、マスクＭＫを介して導電層、具体的には、金属層を蒸着によって形成する。これにより、第２電極１３０が形成される。導電部１５２の上面にマスクＭＫを接触させるため、第２電極１３０の位置を高い精度で調節することができる。
【００７１】
このようにして、図１及び図２に示した発光装置１０が製造される。
【００７２】
図８は、図２の変形例を示す図である。本図に示すように、有機層１２０は、複数の第１電極１１０に亘って広がっていてもよい。さらに、本図に示す例では、有機層１２０は、導電部１５２を覆っており、言い換えると、有機層１２０は、導電部１５２が形成された後に形成されている。有機層１２０は、互いに隣接する第１電極１１０の間で基板１００の第１面１０２を覆っている。このような場合であっても、有機層１２０の光線透過率はある程度高い。このため、有機層１２０の一部が上述したように基板１００の第１面１０２を覆っても、発光装置１０の光線透過率を高く維持することができる。
【００７３】
以上、本実施形態によれば、導電部１５２の厚さＴは、第１電極１１０の基板１００と反対の面（すなわち、第１電極１１０の上面）から第２電極１３０の上端までの高さＨ１より厚くなっている（Ｔ≧Ｈ１）。このため、第２電極１３０の形成に用いられるマスクを導電部１５２の上面に接触させることができる。このため、第２電極１３０の位置を高い精度で調節することができる。
【００７４】
（実施形態２）
図９は、実施形態２に係る発光装置１０を説明するための平面図であり、実施形態１の図１に対応する。図１０は、図９のＡ−Ａ断面図であり、実施形態１の図２に対応する。本実施形態に係る発光装置１０は、以下の点を除いて、実施形態１に係る発光装置１０と同様である。
【００７５】
まず、図９を用いて、発光装置１０の平面レイアウトの詳細について説明する。発光装置１０は、導電層１５０を備えている。導電層１５０は、複数の導電部１５２、複数の導電部１５４、複数の導電部１５６及び配線１５８を有している。複数の導電部１５２、複数の導電部１５４、複数の導電部１５６及び配線１５８は、互いに一体となっている。
【００７６】
複数の導電部１５２のそれぞれ及び複数の導電部１５４のそれぞれは、複数の第１電極１１０のそれぞれと重なっている。複数の第１電極１１０のそれぞれ上において、導電部１５２と導電部１５４は、第２電極１３０を挟んで互いに反対側に位置している。導電部１５２は、第１電極１１０から第１接続部１１２にかけて延伸している。導電部１５４は、第１電極１１０の長さ方向に沿って延伸している。
【００７７】
複数の導電部１５６のそれぞれは、複数の第１電極１１０のそれぞれと重なっている。複数の第１電極１１０のそれぞれ上において、導電部１５６は、配線１５８から離間しており、導電部１５２と導電部１５４を互いに接続している。
【００７８】
配線１５８は、複数の導電部１５２に接続している。外部からの電圧は、配線１５８を介して複数の導電部１５２、複数の導電部１５４及び複数の導電部１５６に供給される。
【００７９】
本図に示す例では、有機層１２０の位置を高い精度で調節することができる。具体的には、複数の第１電極１１０のそれぞれ上において、有機層１２０は、導電部１５２、導電部１５４及び導電部１５６に接している。言い換えると、導電部１５２、導電部１５４及び導電部１５６は、有機層１２０を導電部１５２、導電部１５４及び導電部１５６の外側の領域から隔てるための隔壁として機能している。このようにして、有機層１２０の位置を高い精度で調節することができる。
【００８０】
次に、図１０を用いて、発光装置１０の断面の詳細について説明する。発光装置１０は、基板１００、第１電極１１０、有機層１２０、第２電極１３０、導電部１５２及び導電部１５４を備えている。
【００８１】
有機層１２０の端部は、導電部１５２及び導電部１５４に接している。より具体的には、第１電極１１０の幅方向において、有機層１２０の一方の端部は、導電部１５２の内側の側面に接しており、有機層１２０の他方の端部は、導電部１５４の内側の側面に接している。このようにして、導電部１５２及び導電部１５４は、有機層１２０を導電部１５２及び導電部１５４の外側の領域から隔てるための隔壁として機能している。
【００８２】
本図に示す例では、互いに隣接する有機層１２０が互いに接触することを防止することができる。具体的には、導電部１５２及び導電部１５４は、有機層１２０を導電部１５２及び導電部１５４の外側の領域から隔てるための隔壁として機能している。このため、互いに隣接する有機層１２０が互いに接触することを防止することができる。特に、互いに隣接する有機層１２０が発する光が互いに異なる場合、これらの有機層１２０が混ざることを防止することができる。
【００８３】
本図に示す例では、特定の波長の光が発光装置１０によって吸収されることを防止することができる。具体的には、本図に示す例では、導電部１５２及び導電部１５４が隔壁として機能しているため、有機層１２０を外側の領域から隔てるための絶縁層（例えば、ポリイミド）を設ける必要がない。このような絶縁層は、特定の波長を吸収することがある。このため、このような絶縁層が設けられていると、光が発光装置１０を透過しても、特定の波長が絶縁層によって吸収されることがある。これに対して、本図に示す例では、このような絶縁層を設ける必要がない。このようにして、特定の波長の光が発光装置１０によって吸収されることを防止することができる。
【００８４】
発光装置１０は、複数の発光部１４２、複数の透光部１４４ａ及び複数の透光部１４４ｂを有している。互いに隣接する発光部１４２の間には、２つの透光部１４４ａ及び透光部１４４ｂが位置している。
【００８５】
発光部１４２は、第１電極１１０、有機層１２０及び第２電極１３０の積層構造を含んでいる。具体的には、有機層１２０は、第１電極１１０上に位置し、第２電極１３０は、有機層１２０上に位置している。特に本図に示す例では、発光部１４２の幅は、第２電極１３０の幅と等しくなっている。具体的には、有機層１２０の幅は、第１電極１１０の幅よりも狭くなっており、第２電極１３０の幅は、有機層１２０の幅より狭くなっている。このため、第１電極１１０の幅方向において、発光部１４２の両端は、第２電極１３０の両端によって画定されることになる。言い換えると、第２電極１３０は、発光部１４２を画定するための絶縁層（例えば、図５示した絶縁層２１０）と重なっていない。このようにして、発光部１４２の幅は、第２電極１３０の幅と等しくなっている。
【００８６】
透光部１４４ａは、第１電極１１０の幅方向において、一の第１電極１１０上の導電部１５２（導電部１５４）から一の第１電極１１０上の第２電極１３０の端部にかけて広がっている。透光部１４４ａは、遮光層、具体的には、第２電極１３０、導電部１５２及び導電部１５４と重なっていない。このため、外部からの光は、透光部１４４ａを透過することができる。
【００８７】
透光部１４４ｃは、第１電極１１０の幅方向において、一の第１電極１１０の導電部１５２の端部から他の第１電極１１０の導電部１５４の端部にかけて広がっている。透光部１４４ｃは、遮光層、具体的には、第２電極１３０、導電部１５２及び導電部１５４と重なっていない。このため、外部からの光は、透光部１４４ｃを透過することができる。
【００８８】
本図に示す例においても、導電部１５２（導電部１５４）の厚さＴは、第１電極１１０の上面から第２電極１３０の上端までの高さＨ１よりも厚くなっている。このため、第２電極１３０の形成に用いられるマスク（例えば、図７に示したマスクＭＫ）を導電部１５２の上面に接触させることができる。
【００８９】
図１１は、図９及び図１０に示した発光装置１０を製造する方法の一例を説明するための図である。この例は、以下の点を除いて、図７を用いて説明した例と同様である。
【００９０】
まず、図７を用いて説明した例と同様にして、基板１００の第１面１０２上に第１電極１１０、第１接続部１１２、第２接続部１３２、導電層１５０（導電部１５２、導電部１５４、導電部１５６及び配線１５８）及び導電層１６０（配線１６８）を形成する。
【００９１】
次いで、図１１に示すように、塗布材料１２２を塗布する。塗布材料１２２は、有機層１２０を形成する。塗布材料１２２は、塗布プロセスによって塗布され、一例において、インクジェット印刷によって塗布される。本図に示すように、塗布材料１２２は、導電部１５２及び導電部１５４によって、導電部１５２及び導電部１５４の外側の領域から隔てられる。このため、塗布材料１２２の位置を高い精度で調節することができる。さらに、互いに隣接する塗布材料１２２が混ざることを防止することができる。
【００９２】
次いで、塗布材料１２２を乾燥させる。これにより、有機層１２０が形成される。
【００９３】
次いで、図７に示した例と同様にして、第２電極１３０を形成する。
【００９４】
このようにして、図９及び図１０に示した発光装置１０が製造される。
【００９５】
図１２は、図１０の変形例を示す図である。本図に示す例において、導電部１５２（導電部１５４）の厚さＴは、第１電極１１０の上面から第２電極１３０の上端までの高さＨ１より薄く、第１電極１１０の上面から有機層１２０の上端までの高さＨ２より厚くなっている（Ｈ２＜Ｔ＜Ｈ１）。
【００９６】
本図に示す例においても、有機層１２０の位置を高い精度で調節することができる。具体的には、導電部１５２（導電部１５４）の厚さＴは、第１電極１１０の上面から有機層１２０の上端までの高さＨ２より厚くなっている。この場合、厚さＴが第１電極１１０の上面から第２電極１３０の上端までの高さＨ１より薄くても、塗布材料１２２の塗布に際して、導電部１５２及び導電部１５４は、塗布材料１２２（図１１）を導電部１５２及び導電部１５４の外側の領域から隔てるための隔壁として機能することができる。このようにして、有機層１２０の位置を高い精度で調節することができる。
【００９７】
図１３は、図９の第１の変形例を示す図である。本図に示すように、導電層１５０は、導電部１５６（図９）を有していなくてもよい。この場合においても、導電部１５２及び導電部１５４は、第１電極１１０の幅方向において、有機層１２０を外側の領域から隔てる隔壁として機能することができる。このため、第１電極１１０の幅方向において、有機層１２０の位置を高い精度で調節することができる。
【００９８】
図１４は、図９の第２の変形例を示す図である。本図に示す例においては、導電部１５２及び導電部１５４の双方が配線１５８に接続している。有機層１２０は、配線１５８に接している。このようにして、配線１５８は、第１電極１１０の長さ方向において、有機層１２０を外側の領域から隔てるための隔壁として機能している。このため、第１電極１１０の幅方向では有機層１２０の位置を導電部１５２及び導電部１５４によって調節することができ、第１電極１１０の長さ方向では有機層１２０の位置を配線１５８によって調節することができる。
【００９９】
以上、本実施形態によれば、有機層１２０の端部は、導電部１５２及び導電部１５４に接している。このようにして、導電部１５２及び導電部１５４は、有機層１２０を導電部１５２及び導電部１５４の外側の領域から隔てるための隔壁として機能している。このため、有機層１２０の位置を高い精度で調節することができる。
【０１００】
以上、図面を参照して実施形態及び実施例について述べたが、これらは本発明の例示であり、上記以外の様々な構成を採用することもできる。
【符号の説明】
【０１０１】
１０  発光装置
１００  基板
１０２  第１面
１０４  第２面
１１０  第１電極
１１２  第１接続部
１２０  有機層
１２２  塗布材料
１３０  第２電極
１３２  第２接続部
１４２  発光部
１４４ａ  透光部
１４４ｂ  透光部
１４４ｃ  透光部
１５０  導電層
１５２  導電部
１５２ａ  第１層
１５２ｂ  第２層
１５４  導電部
１５６  導電部
１５８  配線
１６０  導電層
１６８  配線
２１０  絶縁層
２１２  開口
３１０  封止基板
３１２  第１面
３１４  第２面
【図１】
2018073526.tif 000003
【図２】
2018073526.tif 000004
【図３】
2018073526.tif 000005
【図４】
2018073526.tif 000006
【図５】
2018073526.tif 000007
【図６】
2018073526.tif 000008
【図７】
2018073526.tif 000009
【図８】
2018073526.tif 000010
【図９】
2018073526.tif 000011
【図１０】
2018073526.tif 000012
【図１１】
2018073526.tif 000013
【図１２】
2018073526.tif 000014
【図１３】
2018073526.tif 000015
【図１４】
2018073526.tif 000016